(57)【要約】【課題】横並びに配置されたＤサブコネクタ及び高速伝送データ伝送コネクタの双方を組み合わせたソケットコネクタの提供。【解決手段】本発明に係るソケットコネクタ（１）は、少なくとも１個の受容スロット（４）を区画する複数の側壁（３）を有するシールドハウジング（２）と、複数のコネクタ（６，７）及びこれらコネクタの各々に組み込まれた複数の導電性コンタクトを備えた本体部（５）とを具備する。複数のコネクタは、横並びに配置された異なる種類のＩ／Ｏコネクタである。シールドハウジングは、複数のコネクタが少なくとも１個の受容スロット内に配置されるように、本体部の複数の壁を取り囲む。また、本発明は、横並びに配置された複数の異なる種類のコネクタに対応する複数のコンタクト受容部を具備するプラグコネクタを提供する。【選択図】図２
2011003540.tif 000002
【特許請求の範囲】
【請求項１】
１個の受容スロットを区画する複数の側壁を有するシールドハウジングと、複数のコネクタを備える本体部とを具備するソケットコネクタであって、
前記本体部は、前記複数のコネクタが前記受容スロット内に配置されるように前記シールドハウジングに組み込まれることを特徴とするソケットコネクタ。
【請求項２】
前記複数のコネクタは、横並びに配置されたＤサブコネクタ及びＨＤＭＩコネクタからなることを特徴とする請求項１記載のソケットコネクタ。
【請求項３】
前記本体部は、前記複数のコネクタ間に案内部をさらに備えることを特徴とする請求項２記載のソケットコネクタ。
【請求項４】
前記案内部は、水平な上縁と、非対称の左右の縁とを有することを特徴とする請求項３記載のソケットコネクタ。
【請求項５】
前記ソケットコネクタは、該ソケットコネクタに挿入されたプラグコネクタをさらに具備し、
該プラグコネクタは、Ｄサブコンタクト受容部及びＨＤＭＩコンタクト受容部を具備することを特徴とする請求項３記載のソケットコネクタ。
【請求項６】
前記プラグコネクタは、該プラグコネクタが前記ソケットコネクタに挿入される際に該ソケットコネクタの前記案内部を保持するために、前記Ｄサブコンタクト受容部及び前記ＨＤＭＩコンタクト受容部間に保持部をさらに備えることを特徴とする請求項５記載のソケットコネクタ。
【請求項７】
前記ソケットコネクタは、該ソケットコネクタに挿入されたプラグコネクタをさらに具備し、
該プラグコネクタは、Ｄサブコンタクト受容部を具備することを特徴とする請求項１記載のソケットコネクタ。
【請求項８】
前記ソケットコネクタは、該ソケットコネクタに挿入されたプラグコネクタをさらに具備し、
該プラグコネクタは、ＨＤＭＩコンタクト受容部を具備することを特徴とする請求項１記載のソケットコネクタ。
【請求項９】
複数の受容スロットを区画する複数の側壁を有するシールドハウジングと、複数のコネクタを備える本体部とを具備するソケットコネクタであって、
前記本体部は、前記複数のコネクタが前記複数の受容スロット内にそれぞれ配置されるように前記シールドハウジングに組み込まれることを特徴とするソケットコネクタ。
【請求項１０】
前記ソケットコネクタは、該ソケットコネクタに挿入されたプラグコネクタをさらに具備し、
該プラグコネクタは、Ｄサブコンタクト受容部及びＨＤＭＩコンタクト受容部を具備することを特徴とする請求項９記載のソケットコネクタ。
【請求項１１】
前記ソケットコネクタは、該ソケットコネクタに挿入されたプラグコネクタをさらに具備し、
該プラグコネクタは、Ｄサブコンタクト受容部を具備することを特徴とする請求項９記載のソケットコネクタ。
【請求項１２】
前記ソケットコネクタは、該ソケットコネクタに挿入されたプラグコネクタをさらに具備し、
該プラグコネクタは、ＨＤＭＩコンタクト受容部を具備することを特徴とする請求項９記載のソケットコネクタ。
【請求項１３】
前記複数の受容スロット及び前記複数のコネクタは、共に横並びに配置されていることを特徴とする請求項９記載のソケットコネクタ。
【請求項１４】
少なくとも１個の受容スロットを区画する複数の側壁を有するシールドハウジングと、
横並びに配置された少なくとも２種類の異なるＩ／Ｏコネクタ、及び該異なるＩ／Ｏコネクタの各々に組み込まれた複数の導電性コンタクトを備える本体部と
を具備するソケットコネクタであって、
前記シールドハウジングは、前記異なる種類のＩ／Ｏコネクタが前記少なくとも１個の受容スロット内に配置されるように、前記本体部の複数の壁を取り囲むことを特徴とするソケットコネクタ。
【請求項１５】
前記本体部はＤサブコネクタを備えることを特徴とする請求項１４記載のソケットコネクタ。
【請求項１６】
前記本体部は高速伝送コネクタを備えることを特徴とする請求項１４記載のソケットコネクタ。
【請求項１７】
前記高速伝送コネクタは、ＵＳＢコネクタ、ｅＳＡＴＡコネクタ、ディスプレーポートコネクタ又はＨＤＭＩコネクタであることを特徴とする請求項１６記載のソケットコネクタ。
【請求項１８】
前記本体部は、前記異なる種類のＩ／Ｏコネクタ及び対応するプラグコネクタの接続を容易にする案内部を備えることを特徴とする請求項１４記載のソケットコネクタ。
【請求項１９】
前記シールドハウジングは、前記異なる種類のＩ／Ｏコネクタ及び対応するプラグコネクタの接続を容易にする案内部を備えることを特徴とする請求項１４記載のソケットコネクタ。
【請求項２０】
前記プラグコネクタは、前記異なる種類のＩ／Ｏコネクタにそれぞれ対応する複数のコンタクト受容部を具備することを特徴とする請求項１８又は１９記載のソケットコネクタ。
【請求項２１】
前記プラグコネクタは、前記異なる種類のＩ／Ｏコネクタの１個に対応する１個のコンタクト受容部を具備することを特徴とする請求項１８又は１９記載のソケットコネクタ。
【発明の詳細な説明】
【技術分野】
【０００１】
本発明は、電気コネクタに関し、特に横並びに配置された少なくとも２種類の異なる入出力（Ｉ／Ｏ）コネクタからなるソケットコネクタに関する。
【背景技術】
【０００２】
技術が進展すると、さまざまな種類の電子製品が、ニーズに合うように開発されつつある。これらの製品の高性能を達成するために、電子部品の安定性が最も重要な要求事項となる。このため、電子部品の安定性の規格が、多様化したユーザ環境と共により高性能の電子部品に対処するために立ち上がりつつある。コネクタは異なる電子製品間を接続し信号伝送するための媒体として作用するので、コネクタの安定性は、電子部品の性能においてキーとなる役割を果たす。さらに、いかにより容易にコネクタを組立しコネクタを維持するかも重要な課題である。
【０００３】
特許文献１は、横並びカードコネクタという名称の発明を開示する。この特許は、ハウジング及びシールド部からなるカードコネクタに関するものであり、ハウジング及びシールド部は、受容空間を区画するよう協働する。受容空間は、その空間を第１受容空間及び第２受容空間に分割する中央壁を具備する。第１受容空間には複数の第１コンタクトがシールド部に組み込まれ、第２受容空間には複数の第２コンタクトがシールド部に組み込まれる。第１及び第２のコンタクトは、異なる種類のカードコネクタと接触するためのものである。
【先行技術文献】
【特許文献】
【０００４】
【特許文献１】台湾特許公報第Ｍ２６１９０２号明細書
【発明の概要】
【発明が解決しようとする課題】
【０００５】
Ｄサブ（Ｄサブミニチュア）コネクタは一般的なＩ／Ｏコネクタである。近年、コンピュータ及び情報技術の急激な発展に伴い、高速のデータ伝送能力を有する電子デバイスが、家電市場で主流になってきた。従って、初期のＵＳＢ、ｅＳＡＴＡ、最近のディスプレーポート、ＨＤＭＩ（高解像度マルチメディアインタフェース）等の高速データ伝送用のインタフェースタイプは、電子デバイス内で広く採用される部品になってきた。しかし、市場では現在に至るまで、横並びに配置されたＤサブコネクタ及び高速伝送データ伝送コネクタの双方を組み合わせた製品が存在しなかった。
【０００６】
従って、本発明は、このような製品を開発することを目的とする。
【課題を解決するための手段】
【０００７】
本発明の目的は、複数のコネクタを具備するソケットコネクタを提供することにより達成される。このソケットコネクタには、対応する少なくとも１個のプラグコネクタを挿入することができる。ソケットコネクタが２種類のＩ／Ｏコネクタで構成されているので、ユーザは、２種類のうちの一方を選択し、又は２種類を同時に使用することができる。このため、従来のコネクタと比べると、本発明のソケットコネクタは、より大きな空間を要せず、使用がより便利である。
【０００８】
上述の問題を達成するために、本発明に係るソケットコネクタは、少なくとも１個の受容スロットを区画する複数の側壁を有するシールドハウジングと、複数のコネクタ及びこれらコネクタの各々に組み込まれた複数の導電性コンタクトを備えた本体部とを具備する。複数のコネクタは、横並びに配置された異なる種類のＩ／Ｏコネクタである。シールドハウジングは、複数のコネクタが少なくとも１個の受容スロット内に配置されるように、本体部の複数の壁を取り囲む。
【０００９】
好適には、ソケットコネクタの本体部は、横並びに配置されたＤサブコネクタ及び高速伝送コネクタを備える。
【００１０】
好適には、高速伝送コネクタは、ＵＳＢコネクタ、ｅＳＡＴＡコネクタ、ディスプレーポートコネクタ、或いはＨＤＭＩコネクタである。
【００１１】
好適には、ソケットコネクタの本体部は、複数のコネクタ間に案内部をさらに備える。
【００１２】
好適には、ソケットコネクタの案内部は、水平な上縁と、非対称な左右の縁とを有する。
【００１３】
好適には、ソケットコネクタは、その中に挿入されるプラグコネクタをさらに具備する。ここで、プラグコネクタは、Ｄサブコンタクト受容部及びＨＤＭＩコンタクト受容部を具備する。
【００１４】
好適には、プラグコネクタは、ソケットコネクタに挿入される際に、ソケットコネクタの案内部を保持するためにＤサブコンタクト受容部及びＨＤＭＩコンタクト受容部間に保持部をさらに備える。
【図面の簡単な説明】
【００１５】
【図１】本発明の第１実施形態に係るソケットコネクタを示す分解斜視図である。
【図２】本発明の第１実施形態に係るソケットコネクタを示す斜視図である。
【図３】本発明の第１実施形態に係るソケットコネクタを示す別の斜視図である。
【図４】本発明の第１実施形態に係るソケットコネクタを示す正面図である。
【図５】本発明の第１実施形態に係るプラグコネクタを示す斜視図である。
【図６】本発明の第１実施形態に係るプラグコネクタを示す別の斜視図である。
【図７】本発明の第１実施形態に係るソケットコネクタ及びプラグコネクタの嵌合前の状態を示す斜視図である。
【図８】本発明の第１実施形態に係るソケットコネクタ及びプラグコネクタの嵌合後の状態を示す斜視図である。
【図９】本発明の第２実施形態に係るソケットコネクタを示す分解斜視図である。
【図１０】本発明の第２実施形態に係るソケットコネクタを示す斜視図である。
【図１１】本発明の第２実施形態に係るソケットコネクタを示す別の斜視図である。
【図１２】本発明の第２実施形態に係るソケットコネクタを示す正面図である。
【図１３】本発明の第２実施形態に係るソケットコネクタ及びプラグコネクタの嵌合前の状態を示す斜視図である。
【図１４】本発明の第２実施形態に係るソケットコネクタ及びプラグコネクタの嵌合後の状態を示す斜視図である。
【発明を実施するための形態】
【００１６】
以下、本発明の好適な実施形態が示されている添付図面を参照して本発明を説明する。以下では、Ｄサブコネクタ及びＨＤＭＩコネクタを具備するソケットコネクタを例として説明しているが、当業者であれば、本発明の真髄及び範囲から逸脱することなく全ての変形、変更をすることができることを理解されたい。本説明は、限定することを意図したものではなく、本発明の一般的原理を例示する目的でなされるものである。
【００１７】
図１ないし図４を参照すると、本発明の第１実施形態に係るソケットコネクタ１の分解図、組立図及び正面図が示されている。本好適実施形態において、ソケットコネクタ１は、受容スロット４を区画する複数の側壁３を有するシールドハウジング２と、異なる２種類のＩ／Ｏコネクタ、すなわち第１コネクタ６及び第２コネクタ７を備える本体部５とを具備する。本体部５は、第１コネクタ６及び第２コネクタ７が受容スロット４内に配置されるように、シールドハウジング２に組み込まれる。また、本体部５は、シールドハウジング２が過度の外力により変形しないように、支持部９を備える。
【００１８】
本実施形態において、第１コネクタ６はＤサブコネクタであり、第２コネクタ７はＨＤＭＩコネクタである。これらのコネクタは横並びに配置されている。さらに、本体部５は、Ｄサブコネクタ６及びＨＤＭＩコネクタ７間に案内部８をさらに備える。この案内部８は、水平な上縁と、非対称の左右の縁とを有する。
【００１９】
図５及び図６は、プラグコネクタ１０を示す斜視図である。本発明は、Ｄサブコンタクト受容部１１及びＨＤＭＩコンタクト受容部１２の双方を具備するプラグコネクタ１０をさらに備える。Ｄサブコンタクト受容部１１及びＨＤＭＩコンタクト受容部１２の間に、保持部１３が形成されている。
【００２０】
図７は、本発明の一実施形態に係るプラグコネクタ１０及びソケットコネクタ１の嵌合前の状態を示す。図８は、これら２個のコネクタの嵌合状態を示す。本実施形態において、プラグコネクタ１０のＤサブコンタクト受容部１１及びＨＤＭＩコンタクト受容部１２は、ソケットコネクタ１のＤサブコネクタ６及びＨＤＭＩコネクタ７にそれぞれ対応する。
【００２１】
プラグコネクタ１０がソケットコネクタ１の受容スロット４に挿入されると、案内部８はプラグコネクタ１０がソケットコネクタ１に円滑に挿入されるようプラグコネクタ１０を案内する。このため、Ｄサブコンタクト受容部１１はＤサブコネクタ６と嵌合することができ、ＨＤＭＩコンタクト受容部１２はＨＤＭＩコネクタ７と嵌合することができ、案内部８は保持部１３内に保持されることができる。
【００２２】
図９ないし図１２を参照すると、本発明の別の実施形態に係るソケットコネクタ１４の分解図、組立図及び正面図が示されている。本実施形態において、ソケットコネクタ１４は、複数の受容スロット１７，１８を区画する複数の側壁１６を有するシールドハウジング１５と、異なる２種類のＩ／Ｏコネクタ、すなわち第１コネクタ２０及び第２コネクタ２１を備える本体部１９とを具備する。本体部１９は、第１コネクタ２０が受容スロット１７内に配置されると共に第２コネクタ２１が受容スロット１８内に配置されるように、シールドハウジング１５に組み込まれる。
【００２３】
ソケットコネクタ１４において、第１コネクタ２０及び第２コネクタ２１は横並びに配置されている。第１コネクタ２０はＤサブコネクタであり、第２コネクタ２１はＨＤＭＩコネクタである。さらに、２個の受容スロット１７，１８の間に、空間２２が形成されている。
【００２４】
図１３は、本発明の別の実施形態に係るプラグコネクタ１０及びソケットコネクタ１４の嵌合前の状態を示す。図１４は、これら２個のコネクタの嵌合状態を示す。本実施形態において、プラグコネクタ１０のＤサブコンタクト受容部１１及びＨＤＭＩコンタクト受容部１２は、ソケットコネクタ１４のＤサブコネクタ２０及びＨＤＭＩコネクタ２１にそれぞれ対応する。
【００２５】
プラグコネクタ１０がソケットコネクタ１４に挿入されると、Ｄサブコンタクト受容部１１は、受容スロット１７内に受容されてＤサブコネクタ２０と嵌合することができ、ＨＤＭＩコンタクト受容部１２は、受容スロット１８内に受容されてＨＤＭＩコネクタ２１と嵌合することができる。
【００２６】
本発明は、以下の利点を有する。
（１）ソケットコネクタは、Ｄサブコネクタと、ＵＳＢコネクタ、ｅＳＡＴＡコネクタ、ディスプレーポートコネクタ又はＨＤＭＩコネクタ等の高速伝送コネクタとを含む異なる２種類のＩ／Ｏコネクタを具備する。プラグコネクタは、Ｄサブコンタクト受容部のみからなるもの、高速伝送コンタクト受容部のみからなるもの、Ｄサブコンタクト受容部及び高速伝送コンタクト受容部の双方を具備するものであってもよい。ユーザは、使用されるソケットに依存して前記した種類のプラグコネクタのうちいずれか１種類を選択できるので、ユーザに大きな利便性を提供する。さらに、ソケットコネクタの２種類のＩ／Ｏコネクタが横並びに配置されているので、ユーザは、それらＩ／Ｏコネクタの一方又は両方を一度に使用することができ、このような配置は、ソケットコネクタ内の省空間化に寄与する。
（２）ソケットコネクタの案内部は、プラグコネクタがソケットコネクタ内に上下逆に挿入されることを防止する誤嵌合防止形状である。さらに、案内部の案内機能は、プラグコネクタ及びソケットコネクタの円滑な接続を容易にできる。
【００２７】
好適な実施形態に関して本発明を説明したが、本発明はそれらの実施形態には限定されず、当業者であれば、本発明の真髄及び範囲から逸脱することなく様々な変形、変更をすることができることを理解されたい。本発明の範囲は、特許請求の範囲により定義されることが意図されている。
【符号の説明】
【００２８】
１    ソケットコネクタ
２    シールドハウジング
３    側壁
４    受容スロット
５    本体部
６    第１コネクタ
７    第２コネクタ
８    案内部
１０  プラグコネクタ
１１  Ｄサブコンタクト受容部
１２  ＨＤＭＩコンタクト受容部
１３  保持部
１４  ソケットコネクタ
１５  シールドハウジング
１６  側壁
１７，１８  受容スロット
１９  本体部
２０  第１コネクタ
２１  第２コネクタ
【図１】
2011003540.tif 000003
【図２】
2011003540.tif 000004
【図３】
2011003540.tif 000005
【図４】
2011003540.tif 000006
【図５】
2011003540.tif 000007
【図６】
2011003540.tif 000008
【図７】
2011003540.tif 000009
【図８】
2011003540.tif 000010
【図９】
2011003540.tif 000011
【図１０】
2011003540.tif 000012
【図１１】
2011003540.tif 000013
【図１２】
2011003540.tif 000014
【図１３】
2011003540.tif 000015
【図１４】
2011003540.tif 000016